(57)【要約】【課題】レイティング情報が更新されたり、番組が変更された場合には、レイティング情報は、所定時間毎に送信されてくるようになされている場合が多く、次にそのレイティング情報を受信するまでは、視聴が出来ないという課題があった。【解決手段】特定のＰＩＤフィルタによって現在受信している物理チャンネルの中から選択しているサブチャンネルのＥＩＴを常時抽出し、その他のＰＩＤフィルタで現在選択していないサブチャンネルのＥＩＴを抽出するよう制御する。【選択図】図4
2009105494.tif 000002
【特許請求の範囲】
【請求項１】
複数のサブチャンネルを有する物理チャンネルを受信して復調する受信復調部と、前記複数のサブチャンネルの映像／音声情報に重畳されたイベントインフォメーションテーブル（Ｅｖｅｎｔ  Ｉｎｆｏｒｍａｔｉｏｎ  Ｔａｂｌｅ；以下、ＥＩＴと称す）を抽出するための複数のパケットアイデンティフィケーションフィルタ（Ｐａｃｋｅｔ  Ｉｄｅｎｔｉｆｉｃａｔｉｏｎ  Ｆｉｌｔｅｒ；以下、ＰＩＤフィルタと称す）と、前記ＰＩＤフィルタのフィルタリング項目を設定するためのフィルタリング項目設定手段と、前記ＰＩＤフィルタからの出力を一時的に記憶するための複数のメモリと、前記複数のメモリからユーザが指定するサブチャンネルのＥＩＴを選択するためのストリーム選択器と、前記ストリーム選択器によって選択されたトランスポートストリームをデマルチプレクスするデマルチプレクサと、前記デマルチプレクサの出力をデコードするデコーダと、前記ＥＩＴに含まれるレイティング情報とユーザが設定した視聴レベルとを比較し、視聴許可しないものであると判断した場合、前記映像／音声情報の視聴を制限するための視聴制限手段とを備え、前記ＰＩＤフィルタの数は前記メモリの数と同数であって、かつ前記サブチャンネルの数よりも少ない数で構成されるデジタル放送受信機において、
現在受信している物理チャンネルに含まれる複数のサブチャンネルの中からユーザが指定するサブチャンネルのＥＩＴを常時抽出するためのＰＩＤフィルタからなる第一のＰＩＤフィルタグループと、その他のすべてのサブチャンネルのＥＩＴを所定時間ごとに循環させて抽出するための一つ以上のＰＩＤフィルタからなる第二のＰＩＤフィルタグループとを構成するよう前記フィルタリング項目設定手段によって各ＰＩＤフィルタのフィルタリング項目を設定し、前記第二のＰＩＤフィルタグループによって抽出されたＥＩＴをそれぞれ前記複数のメモリに一時的に記憶し、前記複数のメモリからユーザが指定するサブチャンネルのＥＩＴを前記ストリーム選択器によって選択するよう制御したことを特徴とするデジタル放送受信機。
【請求項２】
前記視聴レベルの設定者を認識するためのパスワードを格納する記憶手段を有し、前記設定された視聴レベルで視聴規制されている番組に対するユーザからの視聴規制の解除要求を受け付けるとき、パスワードの入力を受け付け、この受け付けたパスワードと前記記憶手段に格納されているパスワードとを比較し、合致した場合に、前記視聴規制の解除処理を行い、前記設定された視聴レベルで視聴規制されていない番組に対するユーザからの視聴規制の要求を受け付けるとき、パスワードの入力を受け付け、この受け付けたパスワードと前記記憶手段に格納されているパスワードとを比較し、合致した場合に、前記視聴規制の処理を行うことを特徴とする請求項１に記載のデジタル放送受信機。
【発明の詳細な説明】
【技術分野】
【０００１】
本発明は、デジタル放送信号を受信するデジタル放送受信機に係わり、特にデジタル放送信号に含まれる番組情報を抽出するためのフィルタ回路を有するデジタル放送受信機に関する。
【背景技術】
【０００２】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
ここ数年、各国でディジタル放送の規格化作業がさかんに行なわれている。米国ではＡＴＳＣ（ＡｄｖａｎｃｅｄＴｅｌｅｖｉｓｉｏｎ  Ｓｔａｎｄａｒｄ  ｃｏｍｉｔｔｅｅ）、ヨーロッパではＤＶＢ（Ｄｉｇｉｔａｌ Ｖｉｄｅｏ Ｂｒｏａｄｃａｓｔｉｎｇ）と呼ばれる放送規格が実用化されている。デジタル放送の伝送路としては、衛星、地上波、ケーブルなどがある。これらの放送方式のベースとなっているのがＭＰＥＧ２規格である。ＭＰＥＧ２は１９９４年１１月に国際標準となっている。
【０００４】
現行のアナログ放送では１チャネル（１物理チャネル）あたり１番組しか送れないが、デジタル放送では、１チャネルあたり４〜５番組送ることができ、この番組のことをサブチャンネルと呼ぶ。従って、アナログ放送に比べて、飛躍的にチャンネル数が増加し、番組数も増加することになる。番組数が増加すると、それだけ一層、チャネル（物理チャネル）選択、番組選択の手法には工夫が必要になってくる。すなわちマルチプログラム対応のトランスポートストリームは、異なる番組の複数のビデオ、オーディオの個別のストリームを伝送しているため、複数の番組の中から、どの番組を選び、どのパケットを取り出すかという情報が必要となる。そこで、ＭＰＥＧ２では、番組受信に必要な制御情報をＰＳＩ（Ｐｒｏｇｒａｍ  Ｓｐｅｃｉｆｉｃ  Ｉｎｆｏｒｍａｔｉｏｎ）と呼ばれる複数のテーブルで伝送することが規定されている。また、ＰＳＩテーブルには以下の３種類がある（ＩＳＯ／ＩＥＣ１３８１８−１Ｎｏｖｅｍｂｅｒ １９９４によって規格化）。
【０００５】
ＰＡＴ（Ｐｒｏｇｒａｍ  Ａｓｓｏｃｉａｔｉｏｎ  Ｔａｂｌｅ）：番組連関表ＰＭＴ（Ｐｒｏｇｒａｍ  Ｍａｐ  Ｔａｂｌｅ）：番組マップ表 ＣＡＴ（Ｃｏｎｄｉｔｉｏｎａｌ  Ａｃｃｅｓｓ  Ｔａｂｌｅ）：条件付アクセス表ＰＡＴは番組番号（Ｐｒｏｇｒａｍ  Ｎｕｍｂｅｒ）と、ＰＭＴを指し示すパケットＩＤ（ＰＭＴ＿ＰＩＤ）の関係を示すテーブルで、ＰＭＴは番組番号と1個以上のプログラムの成分（ビデオ、オーディオ、クロック基準）のＰＩＤ（エレメンタリＰＩＤ、ＰＣＲＰＩＤ）の関係を示すテーブルである。ここで、ＰＩＤはパケットを識別する番号でパケット識別子とも呼ばれ、ビデオ、オーディオパケットに割り当てられたＰＩＤをエレメンタリＰＩＤという。
【０００６】
米国においては、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）と呼ばれるデジタル放送規格が開発され、地上波におけるデジタルテレビ規格として標準化され
1192065450984_0
、
1192065450984_1
、
1192065450984_2
1192065450984_3
で採用されている。ＡＴＳＣ規格は、高画質映像であるＨＤＴＶ（Ｈｉｇｈ  Ｄｅｆｉｎｉｔｉｏｎ  Ｔｅｌｅｖｉｓｉｏｎ）の大容量映像デジタルデータを圧縮するために
1192065450984_4.html
（Ｍｏｖｉｎｇ  Ｐｉｃｔｕｒｅ  Ｅｘｐｅｒｔｓ  Ｇｒｏｕｐ−２）の圧縮方式を採用し、音声圧縮方式に
1192065450984_5.html
（商標）を採用している。また、このＡＴＳＣ規格においては、圧縮された映像音声デジタルデータを、番組情報、限定受信情報等などを表すＥｖｅｎｔ  Ｉｎｆｏｒｍａｔｉｏｎ  Ｔａｂｌｅ（以下、ＥＩＴ）などのデータと共にＭＰＥＧ−２で規定されるトランスポートストリーム（以下、ＴＳと称する）として送出し、このトランスポートストリームのパケットにはそれぞれ前述のＰＩＤ（Ｐａｃｋｅｔ  ＩＤｅｎｔｉｆｉｃａｔｉｏｎ）が付加され、これらのＰＩＤを抽出することによって、番組の情報を取得して、チャンネルの選局動作を行なう。
【０００７】
また、放送信号には、視聴者の好みとは無関係に、種々の内容の番組が含まれており、その中には、例えば暴力的なシーンや性的なシーンなどを含む、子供あるいは未成年者などにとって好ましくない番組も含まれる。そこで、従来からアナログ放送から米国などで採用されている拡張データサービス（以下、ＸＤＳ（Ｅｘｔｅｎｄｅｄ  Ｄａｔａ  Ｓｅｒｖｉｃｅｓ））により提供されるプログラムレイティング（以下、レイティング）を利用して視聴制限を行う方法がある。ＸＤＳでは、例えばＮＴＳＣ方式に準拠したテレビジョン信号の垂直ブランキング期間の中の第２フィールド（偶数フィールド）のライン２１（２１番目の水平走査線）上に、データ（以下、適宜、ＸＤＳにより伝送するデータを、ＸＤＳデータという）、即ちここではレートデータが多重化され、これによりレートデータは、番組とともに伝送される。なお、ＸＤＳの詳細については、ＥＩＡ（Ｅｌｒｃｔｒｏｎｉｃｓ  Ｉｎｄｕｓｔｒｉｅｓ  Ａｓｓｏｃｉａｔｉｏｎ）−６０８に規定されている。レイティングは、各番組を、その内容に応じて幾つかの段階に分けるもので、これにより各番組は、例えばその視聴を推奨する年齢に応じて分けられる。具体的には、各番組は、レイティングによって、例えば年齢に関係なく視聴しても良い番組や、１３才以上であれば視聴しても良い番組などに分けられる。
【０００８】
米国におけるデジタル放送においては、上述のＥＩＴの中にレイティングを表すデータ（以下、レイティング情報）が含まれており、放送局からの番組が受信可能なデジタル放送受信機には、デジタル放送受信機で予め設定された視聴レベルを超えるレイティング情報を有する番組の映像（画像）および音声をミュートし、その視聴を制限する機能を有するものがある。
【０００９】
従って、デジタル放送受信機においては、放送局から送られてくるデジタル放送信号に含まれる映像音声デジタルデータを処理すると同時に、それに重畳されている番組情報やレイティング情報などの膨大なデータを瞬時に処理して、暴力的なシーンや性的なシーンなどを含む、子供あるいは未成年者などにとって好ましくない番組シーンに対して確実に視聴制限を行わなければならない。
【００１０】
特許文献１には、放送信号からの必須情報を受信しそこなうことなく、ＤＳＭ（デジタルストレージメディア）からのトランスポートストリームを視聴した後直ぐに放送信号からのトランスポートストリームを視聴する場合でも、限定受信放送を受信することが出来ないという不具合を解消する技術が開示されている。
【００１１】
図５を用いて特許文献１に記載の技術を説明する。チューナ、デジタル復調、誤り訂正等の伝送系の信号処理をする受信復調部５０１から出力されるトランスポートストリームは、デスクランブラ５０２に入力され、入力されたトランスポートストリームは特定のトラ
ンスポートパケットを、ホストコントローラ５０５の指示によりデスクランブルされる。デスクランブラ５０２の出力である放送信号のトランスポートストリームＴＳ−ａには、複数の番組の圧縮された映像音声信号と番組名等の付加情報であるＥＩＴが、トランスポートパケットという単位で多重化されている。
【００１２】
デスクランブラ５０２より出力されたトランスポートストリームＴＳ−ａは、ＰＩＤフィルタ５０６及びストリーム選択器５０７を介してＭＰＥＧデマルチプレクサ（以下、デマルチプレクサ）５０３に入力される。外部のＤＳＭより入力されたトランスポートストリームＴＳ−ｃもストリーム選択器５０７を介してデマルチプレクサ５０３に入力される。ストリーム選択器５０７は、ＴＳ−ａとＴＳ−ｃを選択してデマルチプレクサ５０３に入力する。デマルチプレクサ５０３は、入力されたトランスポートストリームＴＳに含まれるＰＡＴ、ＰＭＴ等を抽出し、その情報に基づき、ホストコントローラ５０５からの指示により、所定の番組に関連する映像音声ストリームのトランスポートパケットを特定し、ＭＰＥＧデコーダ５０４に入力する。ＭＰＥＧデコーダ５０４は、入力された映像音声ストリームをデコードし、ビデオ信号とオーディオ信号とを出力する。ＰＩＤフィルタ５０６にメモリ５０８が接続されており、このメモリ５０８には上記の必須情報を記憶するようにしている。ＤＳＭより入力されたトランスポートストリームＴＳ−ｃを視聴するため、ホストコントローラ５０５からの指示により、ストリーム選択器５０７がトランスポートストリームＴＳ−ｃを選択しているとき、ＰＩＤフィルタ５０６は上記の必須情報を含む特定のパケットを抽出し、メモリ５０８に蓄える。
【００１３】
そして、例えばＤＳＭより入力されたトランスポートストリームＴＳ−ｃの視聴が終了した後、直ぐに放送信号より得たトランスポートストリームＴＳ−ａを視聴しようとする場合には、ストリーム選択器５０７は、まず、ＰＩＤフィルタ５０６の出力を選択し、次いでメモリ５０８に蓄えられた必須情報が、ＰＩＤフィルタ５０６及びストリーム選択器５０７を介してデマルチプレクサ５０３に入力される。その後、ストリーム選択器５０７は、放送信号より得たトランスポートストリームＴＳ−ａをデマルチプレクサ５０３に入力する。これによって、切り換えた後のトランスポートストリームＴＳ−ａが限定受信放送（スクランブル放送）であったとしても、デマルチプレクサ５０３は限定受信放送を受信可能にするための必須情報を得ることができるので、デスクランブラ５０２は、ホストコントローラ５０５の指示により直ぐにデスクランブルを行うことが可能となる。
【特許文献１】特開２００４−２１２５７４号公報
【発明の開示】
【発明が解決しようとする課題】
【００１４】
デジタル放送においては、一つの物理チャンネルに数多くのサブチャンネルを有する物理チャンネルがあり、デジタル放送受信機においては、データ容量の大きいデジタル放送のサブチャンネル選局処理を短時間で完了するために、これら複数のサブチャンネルのＥＩＴを同時に抽出するよう、数個のメモリを設けて、所定時間ごとにすべてのサブチャンネルに循環してメモリを接続することで、すべてのサブチャンネルのＥＩＴを抽出する方法が一般的となっている。このように構成することによって、限られた数のメモリによって、多数のサブチャンネルのＥＩＴを抽出し、番組情報を取得している。
【００１５】
特許文献１に記載の技術では、レイティング情報などを含む必須情報を有する放送信号と、必須を有さない映像信号の２つの信号の切り換えにおいては、切り換え時に即座にメモリに記憶された必須情報を読み出してデスクランブル処理を行うことが可能であるが、必須情報のみを抽出して記憶するためのメモリを別途設ける必要がある。また、ＥＩＴなどの情報データを有する多数の放送信号間における切り換えに対しては、考察されていない。例えば同一のサブチャンネルにおいて、あるレイティング情報によって視聴制限がかかっている番組から、別のレイティング情報によって視聴制限がかかっている番組に移行し
たとき、そのレイティング情報を解析して視聴レベルを比較して視聴可能と判断する処理が必要となる。しかしながら、そのときメモリが循環していてそのサブチャンネルのＥＩＴを抽出していなかった場合、メモリが循環してそのサブチャンネルのＥＩＴを抽出してレイティング情報を解析して視聴レベルを比較して視聴可能と判断する処理が終わるまで、その番組を視聴できないという不具合が発生する。
【００１６】
本発明はこのような問題点に鑑みなされたものであり、特許文献１のようにＥＩＴなどの必須情報のみを抽出するためのメモリを別途設けることなく、複数のサブチャンネルのＥＩＴを抽出するために構成される既存のメモリ数で、サブチャンネルのＥＩＴを常に監視し、レイティング情報などのＥＩＴが変更された場合にも、即座に解析して視聴することが可能であって、かつ回路構成の簡易なデジタル放送受信機を提供することを目的とする。
【課題を解決するための手段】
【００１７】
前記の目的を達成するために、デジタル放送受信機において、複数のサブチャンネルを有する物理チャンネルを受信して復調する受信復調部と、前記複数のサブチャンネルの映像／音声情報に重畳されたイベントインフォメーションテーブル（Ｅｖｅｎｔ  Ｉｎｆｏｒｍａｔｉｏｎ  Ｔａｂｌｅ；以下、ＥＩＴと称す）を抽出するための複数のパケットアイデンティフィケーションフィルタ（Ｐａｃｋｅｔ  Ｉｄｅｎｔｉｆｉｃａｔｉｏｎ  Ｆｉｌｔｅｒ；以下、ＰＩＤフィルタと称す）と、前記ＰＩＤフィルタのフィルタリング項目を設定するためのフィルタリング項目設定手段と、前記ＰＩＤフィルタからの出力を一時的に記憶するための複数のメモリと、前記複数のメモリからユーザが指定するサブチャンネルのＥＩＴを選択するためのストリーム選択器と、前記ストリーム選択器によって選択されたトランスポートストリームをデマルチプレクスするデマルチプレクサと、前記デマルチプレクサの出力をデコードするデコーダと、前記ＥＩＴに含まれるレイティング情報とユーザが設定した視聴レベルとを比較し、視聴許可しないものであると判断した場合、前記映像／音声情報の視聴を制限するための視聴制限手段とを備え、前記ＰＩＤフィルタの数は前記メモリの数と同数であって、かつ前記サブチャンネルの数よりも少ない数で構成され、現在受信している物理チャンネルに含まれる複数のサブチャンネルの中からユーザが指定するサブチャンネルのＥＩＴを常時抽出するためのＰＩＤフィルタからなる第一のＰＩＤフィルタグループと、その他のすべてのサブチャンネルのＥＩＴを所定時間ごとに循環させて抽出するための一つ以上のＰＩＤフィルタからなる第二のＰＩＤフィルタグループとを構成するよう前記フィルタリング項目設定手段によって各ＰＩＤフィルタのフィルタリング項目を設定し、前記第二のＰＩＤフィルタグループによって抽出されたＥＩＴをそれぞれ前記複数のメモリに一時的に記憶し、前記複数のメモリからユーザが指定するサブチャンネルのＥＩＴを前記ストリーム選択器によって選択するよう制御したことを特徴とする。
【００１８】
デジタル放送受信機において、前記視聴レベルの設定者を認識するためのパスワードを格納する記憶手段を有し、前記設定された視聴レベルで視聴規制されている番組に対するユーザからの視聴規制の解除要求を受け付けるとき、パスワードの入力を受け付け、この受け付けたパスワードと前記記憶手段に格納されているパスワードとを比較し、合致した場合に、前記視聴規制の解除処理を行い、前記設定された視聴レベルで視聴規制されていない番組に対するユーザからの視聴規制の要求を受け付けるとき、パスワードの入力を受け付け、この受け付けたパスワードと前記記憶手段に格納されているパスワードとを比較し、合致した場合に、前記視聴規制の処理を行うことを特徴とする。
【００１９】
前記の通り構成することにより、現在選択されているサブチャンネルのＥＩＴが変更された場合においても、第一のＰＩＤフィルタグループによって現在選択されているサブチャンネルのＥＩＴを常時抽出してメモリに記憶しているので、即座にレイティング情報を解
析して視聴制限の処理をおこなうように作用する。また、ユーザがサブチャンネルの変更を指示した場合にも、第二のＰＩＤフィルタグループがすべてのサブチャンネルのＥＩＴを抽出しているので、即座にレイティング情報を解析して視聴制限の処理をおこなうように作用する。
【発明の効果】
【００２０】
請求項１に記載の発明によれば、既存の回路構成におけるメモリ数を増やさずに、現在選局されているサブチャンネルのＥＩＴを抽出するための第一のＰＩＤフィルタグループを設定してメモリに一時的に記憶することで、同一のサブチャンネルを視聴中に番組が変わってＥＩＴが変わった場合でも、前記第一のＰＩＤフィルタグループが常に現在選局中のサブチャンネルのＥＩＴを抽出するため、即座にレイティング情報を解析し、予め設定された視聴レベルとの比較を行って視聴制限を行うことが可能となる。また、現在選局されているサブチャンネルが変更された場合でも、第二のPIDフィルタグループによって循環してその他のすべてのサブチャンネルのEITを抽出しているので、サブチャンネルの切り替えを行った時に、切り替え後のサブチャンネルのEITをすでに獲得していてば瞬時にレイティング情報を解析し、予め設定された視聴レベルとの比較を行って視聴制限を行うことが可能となるため、ユーザは循環の処理時間に気づくことがなく、ストレスを感じることもない。ＥＩＴは所定時間ごと、例えば５ｓｅｃごとに更新されているが、この更新に対しても十分に追従することが可能となる。すなわち、既存の回路構成を利用することで、回路構成を複雑化することなく、簡易な回路構成でユーザにストレスを与えることなく、操作性の良好にすることが可能となる。
【００２１】
請求項２に記載の発明によれば、視聴制限の要求または解除を行うときに、予め設定されたパスワードと合致するパスワードを入力しなければならないため、子供あるいは未成年者などが、暴力的なシーンや性的なシーンなどを含む、視聴に好ましくない番組シーンに対する視聴制限を自由に制限／解除を行うことを防止することが可能となる。
【発明を実施するための最良の形態】
【００２２】
次に、図を参照しながら本発明の実施形態の説明を行う。図１は本発明に係るデジタル放送受信機のブロック図を表す。デジタル放送受信機では、デジタル放送受信機内部で処理するデジタルストリームの伝送レートを削減するために、物理チャンネルが有する複数のサブチャンネルのうち、特定のサブチャンネルを選択して出力する機能を有する場合がある。このような特定のサブチャンネルのみを抽出する機能のブロック図を図１に示す。
【００２３】
図１において、受信復調部１０１は、複数のサブチャンネルを有する物理チャンネルをチューニングし、デジタル復調、誤り訂正等の伝送系の信号処理をするものであり、ＴＳ（トランスポートストリーム）を出力する。受信復調部１０１の出力であるＴＳには、複数のサブチャネルの圧縮された映像音声信号と番組名等の付加情報であるＥＩＴが、多重化されている。詳細には、ある番組ｎ（ｎ＝１，２，…）の映像、音声のエレメンタリーストリーム（ＥＳ）より生成されたパケット（Ｖｎ、Ａｎ）と、プログラムアソシエーションテーブル（ＰＡＴ：Ｐｒｏｇｒａｍ  Ａｓｓｏｃｉａｔｉｏｎ  Ｔａｂｌｅ）、プログラムマップテーブル（ＰＭＴ：Ｐｒｏｇｒａｍ  Ｍａｐ  Ｔａｂｌｅ）等の番組特定情報（ＰＳＩ：Ｐｒｏｇｒａｍ  Ｓｐｅｃｉｆｉｃ  Ｉｎｆｏｒｍａｔｉｏｎ）、番組配列情報（ＳＩ：Ｓｅｒｖｉｃｅ  Ｉｎｆｏｒｍａｔｉｏｎ）が時分割多重されている。
【００２４】
受信復調部１０１より出力されたトランスポートストリームＴＳ−ｔは、複数のサブチャンネルの圧縮された映像音声信号と番組名等の付加情報であるＥＩＴを処理するために、複数の（本実施形態においては３つ）ＰＩＤフィルタ１０２ａ〜１０２ｃに入力される。ＰＩＤフィルタ１０２ａ〜１０２ｃは、ホストコントローラ１０３に含まれるフィルタリング項目設定手段１０４によって、所望のサブチャンネルのＴＳを抽出するためのフィル
タリング項目が設定され、映像情報であるビデオパケットおよびオーディオパケットと番組情報とを分離し、番組情報データのみとなったＴＳ−ａ、ＴＳ−ｂ、ＴＳ−ｃをそれぞれ出力する。（ＰＩＤフィルタの動作については後述する。）ＰＩＤフィルタ１０２ａ〜１０２ｃの出力である番組情報データＴＳ−ａ、ＴＳ−ｂ、ＴＳ−ｃはそれぞれセクションフィルタ１１０ａ〜１１０ｃに入力されたのち、メモリ１０３ａ〜１０３ｃに出力され、
一時的に記憶される。メモリ１０５ａ〜１０５ｃの出力は、ストリーム選択器１０６に入力され、ユーザが所望の番組を指示することによって、ホストコントローラ１０３が所定のＴＳを選択し、その選択されてストリーム選択器１０６から出力されたＴＳはＭＰＥＧデマルチプレクサ１０７（以下、デマルチプレクサ）に入力される。
【００２５】
デマルチプレクサ１０７は、入力されたＴＳに含まれるＰＡＴ、ＰＭＴ等を抽出し、その情報に基づき、ホストコントローラ１０３からの指示により、所定の番組に関連する映像音声ストリームのトランスポートパケットを特定し、ＭＰＥＧデコーダ１０８に入力する。ＭＰＥＧデコーダ１０８は、入力された映像音声ストリームをデコードし、ビデオ信号とオーディオ信号とを出力する。
【００２６】
また、ホストコントローラ１０３は、ストリーム選択器１０６によって選択されたＴＳのＥＩＴからレイティング情報を抽出し、予め設定された視聴レベルを記憶部１０９から読み出して比較を行い、視聴の可否を視聴制限手段１１０に指示する。ストリーム選択器１０６は、指示に従ってデマルチプレクサ１０７へのＴＳの出力をオンオフする。
【００２７】
図２はＰＩＤフィルタに入力されたＴＳがストリーム選択器へ入力されるまでのデータの流れを示すブロック図である。図２を参照しながら、ＰＩＤフィルタの役割を説明する。トランスポートパケットには、１３ビットのパケット識別子（ＰＩＤ：Ｐａｃｋｅｔ  Ｉｄｅｎｔｉｆｉｃａｔｉｏｎ）が存在し、それによりそのパケットの属性を特定することができる。また、ＰＳＩ、ＥＩＴ等は、セクションと称されるデータ構造を持ち、トランスポートパケットのペイロードの部分に格納されている。
【００２８】
図２において、PIDフィルタ２０１は、PIDを利用して所望のパケットを選択し、セクションフィルタ２０２に入力する。PIDフィルタ２０１、PIDフィルタ２０２は、ユーザが所望するサブチャンネルのＥＩＴを抽出するために、ホストコントローラ１０３によって、複数のフィルタリング項目の設定が行われる。
【００２９】
フィルタリング設定項目の主な項目を次に示す。ＰＣＲ、Ｖｉｄｅｏ、ＡｕｄｉｏのＰＩＤなどの情報を含むＰＡＴ（Ｐｒｏｇｒａｍ  Ａｓｓｏｃｉａｔｉｏｎ  Ｔａｂｌｅ）とＰＭＴ（Ｐｒｏｇｒａｍ  Ｍａｐ  Ｔａｂｌｅ）は、ＭＰＥＧ２規格（ＩＳＯ／ＩＥＣ１３８１８−１に準拠する。また、ＥＩＴおよびＥＴＴのＰＩＤの情報を含みＶＣＴのＰＩＤ情報の有無を判断するためのＭＧＴ（Ｍａｓｔｅｒ  Ｇｕｉｄｅ  Ｔａｂｌｅ）、時計情報であるＳＴＴ（Ｓｙｓｔｅｍ  Ｔｉｍｅ  Ｔａｂｌｅ）、視聴制限を処理するソフトをダウンロードするためのダウンロードレーティング情報であるＲＲＴ（Ｒａｔｉｎｇ  Ｒｅｇｉｏｎ  Ｔａｂｌｅ）サブチャンネルの情報を表すＶＣＴ（Ｖｉｒｔｕａｌ  Ｃｈａｎｎｅｌ  Ｔａｂｌｅ）、番組情報を表すＥＩＴ（Ｅｖｅｎｔ  Ｉｎｆｏｒｍａｔｉｏｎ  Ｔａｂｌｅ）、番組の詳細情報を表すＥＴＴ（Ｅｘｔｅｎｄｅｄ  Ｔｅｘｔ  Ｔａｂｌｅ）などが、ＭＰＥＧ−２規格に対して付加されるＡＴＳＣ規格（Ａ６５Ｃ）に従う放送特有の情報に対して設定を行う。
【００３０】
また、番組の選局時の処理は、ＰＡＴのフィルタを設定して獲得する処理と、ＭＧＴのフィルタを設定して獲得する処理を並列で行い、獲得したＰＡＴとＭＧＴを解析した時点で、受信中のチャンネル情報がわかり、現在のサブチャンネルを判定する。次に、ＰＭＴよ
り
Ｖｉｄｅｏ、Ａｕｄｉｏ、ＰＣＲのフィルタを設定し、それらを獲得し続け、動画を再生する。次に、ＭＧＴより、ＥＩＴのフィルタを設定して獲得する。
【００３１】
続いて、セクションフィルタ２０２は、入力されたパケットよりＰＡＴ等の番組特定情報や番組配列情報のセクションを抽出し、ホストコントローラ１０３が参照できる形でメモリ２０３（破線部で囲った部分）に入力する。メモリ２０３は複数のバッファよりなり、ＰＩＤフィルタ２０１より出力されたビデオパケット、オーディオパケットや、セクションフィルタ２０２より出力されたセクションの情報を記憶する。なお、ＰＩＤフィルタ２０１及びセクションフィルタ２０２からの破線で示す信号線は、ビデオパケット、オーディオパケットが複数出力されたり、他の情報が出力される場合の信号線を示している。従って、このようなデータの有無に応じて、メモリ２０３のバッファの個数は適宜に増減される。
【００３２】
ホストコントローラ１０３は、メモリ２０３に記憶された情報を読み出し、物理チャンネル選局、番組選択、サービス情報の取得等の処理を行う。映像と音声のエレメンタリーストリームを含むパケットは、上記のセクションの情報により特定され、そのトランスポートパケット（あるいは、ＥＳもしくはＥＳより生成したＰＥＳと称されるストリーム）のみをＭＰＥＧデコーダ１０８に入力する。この動作により、複数の番組が多重化されたトランスポートストリームＴＳ−ｔから、ストリーム選択器１０６によって、ユーザが希望する１つの番組を選択することが可能となる。
【００３３】
前記のような処理によってＥＩＴを抽出し、ストリーム選択器１０６によってユーザの所望する番組の情報を取得する。前記のように、デジタル放送においては、所望の番組を選局するために、受信復調部１０１から出力されたＴＳ−ｔから膨大な情報を処理しなければならないため、その処理に数１００ｍｓｅｃの時間を要する。デジタル放送受信機の構成として、ＰＩＤフィルタが一つだけ設けている場合には、ユーザが現在視聴している番組から他の番組へ選局を行なったとき、選局が指示されてから終了するまでの数１００ｍｓｅｃは映像／音声が出力されず、ユーザは大きなストレスを感じることになる。このような現象を回避するために、デジタル放送受信機では、通常、複数のＰＩＤフィルタを設けて、ＴＳ−ｔに含まれる複数のＥＩＴすべてを同時に抽出し、複数のＰＩＤフィルタそれぞれに対応する複数のメモリに記憶し、ユーザが番組変更の指示を行なった場合には、ストリーム選択器１０６がユーザの所望する番組のＥＩＴを有するメモリを選択することで、即座に選局を終了するように処理が行われる。また、すべてのサブチャンネルのＥＩＴを抽出することによって、その時間帯における番組に関する情報、例えば、番組名、レイティング情報、放送局名、開始時刻、放送時間などを予めデジタル放送受信機にメモリに保持し、すべてのサブチャンネルに関する前記の情報を映像として出力してユーザに知らせることに利用することも可能である。
【００３４】
しかしながら、一つの物理チャンネルには数多くのサブチャンネルを有するものがあり、現在行われているデジタル放送においては、６つ以上のサブチャンネルを有する物理チャンネルも存在する。これらのサブチャンネルのすべてのＥＩＴを同時に抽出するためにそのサブチャンネル数に相当するＰＩＤフィルタとメモリを設けることは、近年すべての電子機器で進められている小型化の設計を阻害するものであり、また設計コストを引き上げることとなり、現実的ではない。このため、物理チャンネルが有するサブチャンネル数よりも少ない数のＰＩＤフィルタとメモリによってユーザにストレスを与えることなく、番組の選局処理を短時間で完了する構成が考えられている。図３を用いてその構成を説明する。
【００３５】
次に図３は、図１におけるＰＩＤフィルタとメモリの構成を示している。図３を参照しな
がら、複数のＴＳを有するＴＳ−ｔからＥＩＴを抽出する処理に注目して説明する。破線３０１は、受信復調部１０３からの出力であるＴＳ−ｔに含まれるすべてのサブチャンネルのＥＩＴを表している。ＴＳ−ｔに含まれるサブチャンネルは、ＥＩＴ１〜ＥＩＴ４の４つあり、所望のパケットを抽出するためのＰＩＤフィルタは、１０２ａ〜１０２ｃの３つ設けられており、一度に抽出可能なＥＩＴは３つまでとなっている。図３（ａ）においては、すべてのサブチャンネルのＥＩＴのうち、ＥＩＴ１をＰＩＤフィルタ１０２ａに、ＥＩＴ２をＰＩＤフィルタ１０２ｂに、ＥＩＴ３をＰＩＤフィルタ１０２ｃに入力するようにホストコントローラ１０３のフィルタリング項目設定手段が、各ＰＩＤフィルタのフィルタリング設定項目を設定することで制御している。
【００３６】
図３（ａ）においては、ＰＩＤフィルタ１０２ａ〜１０２ｃは、ＥＩＴ１〜ＥＩＴ３を抽出するように、各フィルタリング項目が設定されている。図３（ｂ）においては、ＥＩＴ２をＰＩＤフィルタ１０２ａに、ＥＩＴ３をＰＩＤフィルタ１０２ｂに、ＥＩＴ４をＰＩＤフィルタ１０２ｃに入力するようにホストコントローラ１０３のフィルタリング項目設定手段が、各ＰＩＤフィルタのフィルタリング設定項目を設定することで制御している。図３（ａ）と図３（ｂ）の処理を交互に行うよう、ホストコントローラ１０３内のフィルタリング項目設定手段１０４によって制御することで、現在メモリに記憶されているサブチャンネルへの選局変更の指示が行われた時には即座に選局処理を完了し、現在メモリに記憶されていないサブチャンネルへの選局変更の指示が行われたときでも、図３（ａ）と図３（ｂ）へ移行する処理が行われた後に選局動作を完了することが可能となる。このように構成することにより、サブチャンネル数よりも少ないＰＩＤフィルタとメモリ数で選局動作を完了するようなされている。
【００３７】
しかしながら、サブチャンネルが有するＥＩＴは所定時間ごとに更新されているため、常にすべてのサブチャンネルのＥＩＴを取得するように複数のＰＩＤフィルタに対してフィルタリング項目の設定変更を循環して行った場合には、現在選局されているサブチャンネルのＥＩＴが更新されたときに、そのサブチャンネルのＥＩＴを抽出するようにＰＩＤフィルタが設定されていなかった時には、更新されたＥＩＴを抽出することが出来ない。特に、EITに含まれるレイティング情報が更新された場合に、前記のように現在選択されているサブチャンネルのEITがＰＩＤフィルタで抽出されていなかった場合には、レイティング情報の更新に時間がかかり、視聴制限の処理を行うことが出来ず、映像／音声が出力されないという問題が発生する可能性を有している。
【００３８】
そこで本発明においては、現在選局されているサブチャンネルのみのＥＩＴを抽出するためのＰＩＤフィルタを設定し、その他のＰＩＤフィルタのフィルタリング設定項目を循環して設定することによってすべてのサブチャンネルのＥＩＴを抽出するように制御するものである。
【００３９】
次に図４を参照しながら、特定のＰＩＤフィルタに現在選局されているサブチャンネルのみのＥＩＴを抽出する構成を説明する。図４（ａ）において、ＴＳ−ｔに含まれるサブチャンネルは、ＥＩＴ１〜ＥＩＴ４の４つあり、所望のパケットを抽出するためのＰＩＤフィルタは、１０２ａ〜１０２ｃの３つ設けられており、一度に抽出可能なＥＩＴは３つまでとなっている。ＥＩＴ１〜ＥＩＴ４のうち、現在選択されているサブチャンネルはＥＩＴ１であり、ＥＩＴ１はＰＩＤフィルタ１０２ａによって抽出されている。また、ＥＩＴ２をＰＩＤフィルタ１０２ｂに、ＥＩＴ３をＰＩＤフィルタ１０２ｃに入力するようにホストコントローラ１０３のフィルタリング項目設定手段が、各ＰＩＤフィルタのフィルタリング設定項目を設定することで制御している。
【００４０】
図４（ｂ）においては、ＥＩＴ１〜ＥＩＴ４のうち、現在選択されているサブチャンネルはＥＩＴ１であり、ＥＩＴ１はＰＩＤフィルタ１０２ａによって抽出されている。また、
ＥＩＴ３をＰＩＤフィルタ１０２ｂに、ＥＩＴ４をＰＩＤフィルタ１０２ｃに入力するようにホストコントローラ１０３のフィルタリング項目設定手段が、各ＰＩＤフィルタのフィルタリング設定項目を設定することで制御している。
【００４１】
このように、ＰＩＤフィルタ１０２ａを現在選局しているサブチャンネルのみを抽出するための第一のＰＩＤフィルタグループ３００ａとしてフィルタリング項目設定手段を制御する一方、その他のＰＩＤフィルタ１０２ｂと１０２ｃをその他のすべてのサブチャンネルのＥＩＴを抽出するための第二のＰＩＤフィルタグループ３００ｂとしてフィルタリング設定項目を循環して設定変更するように制御して、ＥＩＴ２、ＥＩＴ３、ＥＩＴ４を抽出するように構成している。
【００４２】
また、図４（ｂ）の状態において、ユーザがＥＩＴ３への選局指示を行った場合には、ＰＩＤフィルタ１０２ｂを第一のＰＩＤフィルタグループ３００ａとしてＥＩＴ３の抽出を継続的に行い、その他のＰＩＤフィルタである１０２ａと１０２ｃを第二のＰＩＤフィルタグループ３００ｂとしてフィルタリング設定項目を循環して設定変更するように制御して、ＥＩＴ１、ＥＩＴ２、ＥＩＴ４を抽出する。このように制御することによって、ユーザが選局指示した時に、既にサブチャンネルを抽出するようにフィルタリング項目が設定されて、ＥＩＴがメモリに格納されている場合には、そのＰＩＤフィルタとメモリをそのサブチャンネルのEITを抽出するための第一のPIDフィルタグループ300aに設定することで、直ぐに選局後の番組情報の表示とVCHIP検出を完了することにが可能になり、またこれまで選局指示前のサブチャンネルのＥＩＴを抽出するために設定されていたＰＩＤフィルタを含む、他のＰＩＤフィルタを第二のＰＩＤフィルタグループ３００ｂとしてフィルタリング設定項目を循環して設定変更するように制御して、その他のサブチャンネルのＥＩＴを抽出するように制御することで、次の選局指示に対応することが可能となる。なお、図３および図４において、理解を促すために簡略化してセクションフィルタを割愛している。
【００４３】
このように構成／制御することによって、レイティング情報が変更されたとしても、常に現在選局しているサブチャンネルのＥＩＴを取得し続けているので、即座に視聴制限を行うことが可能となる。また、現在選局されているサブチャンネルが変更されたとしても、前記の現在選局されているＥＩＴを抽出するためのＰＩＤフィルタ以外のＰＩＤフィルタによってトグルでその他のＥＩＴを抽出しているので、トグルの処理時間は約数１０ｍｓｅｃであるため、ユーザはその処理時間に気づくことがなく、ストレスを感じることなく選局後も視聴制限を確実に行うことが可能となる。また、ＥＩＴは所定時間ごと、例えば５ｓｅｃごとに更新されているが、この更新に対しても十分に追従することが可能となる。
【００４４】
また、本実施形態においては、第一のＰＩＤフィルタグループ３００ａを一つのＰＩＤフィルタによる構成で説明を行ったが、第一のＰＩＤフィルタグループ３００ａを複数のＰＩＤフィルタで構成することでさらに効果を生むことが可能となる。例えば、ピクチャインピクチャ機能を搭載したデジタル放送受信機においては、2つ以上のサブチャンネルを同時に選局処理する必要が有り、この場合には表示するサブチャンネル数に応じて、第一のＰＩＤフィルタグループ３００ａを構成するＰＩＤフィルタの個数を設定すれば良い。また、録画機能を搭載するデジタル放送受信機においては、一つのサブチャンネルは画面表示のために、一つのサブチャンネルは録画のために選局処理を行う場合において有効となる。このように、製品の仕様によって、第一のＰＩＤフィルタグループ３００ａと第二のＰＩＤフィルタグループ３００ｂをそれぞれ構成するＰＩＤフィルタの個数を設定することによって、本発明の効果を向上することが可能となる。
【００４５】
また、視聴制限において、視聴レベルの設定者の認識するためのパスワードを設け、設定
された視聴レベルで視聴規制されている番組に対して、ユーザから視聴規制の解除要求を受け付けたときに、パスワードの入力を要求し、この受け付けたパスワードと記憶手段に格納されているパスワードとを比較し、合致した場合のみ、視聴規制の解除処理を行い、また、設定された視聴レベルで視聴規制されていない番組に対してユーザからの視聴規制の要求を受け付けたときにもパスワードの入力を要求し、この受け付けたパスワードと前記記憶手段に格納されているパスワードとを比較し、合致した場合のみ、視聴規制の処理を行う制御を本実施形態に付加することも可能である。
【産業上の利用可能性】
【００４６】
本発明は、デジタル放送受信機に適しており、特にデジタル放送に含まれるレイティング情報を解析して視聴制限を行う制御手段を有するデジタル放送受信機に好適である。
【図面の簡単な説明】
【００４７】
【図１】本発明に係るデジタル放送受信機のブロック図を表す。
【図２】本発明に係るＰＩＤフィルタの信号処理構成を表す。
【図３】本発明に係るＰＩＤフィルタとＥＩＴの信号処理構成を表す。
【図４】本発明に係るＰＩＤフィルタとＥＩＴの信号処理構成を表す。
【図５】従来技術の構成図を表す。
【符号の説明】
【００４８】
１０１  受信復調部
１０２ａ〜１０２ｃ  ＰＩＤフィルタ
１０４  フィルタリング項目設定手段
１０５ａ〜１０５ｃ  メモリ
１０７  デマルチプレクサ
１０８  デコーダ
１０９  記憶手段
１１０  視聴制限手段
３００ａ  第一のＰＩＤフィルタグループ
３００ｂ  第二のＰＩＤフィルタグループ
【図１】
2009105494.tif 000003
【図２】
2009105494.tif 000004
【図３】
2009105494.tif 000005
【図４】
2009105494.tif 000006
【図５】
2009105494.tif 000007